(57)【特許請求の範囲】
【請求項１】
縫合糸を体内に送り込むための内部通路が軸方向に貫通して形成された縫合糸挿入用穿刺針と、前記縫合糸の先端を体内から引き出すための内部通路が軸方向に貫通して形成されて前記縫合糸挿入用穿刺針と並列に配置される縫合糸引出用穿刺針とを有する生体用縫合装置の縫合糸引出具であって、
前記縫合糸引出用穿刺針内に外方から挿脱自在な操作ロッドと、
前記縫合糸の先端付近に係合させて前記縫合糸を牽引することができるよう前記操作ロッドの先端に取り付けられて前記縫合糸引出用穿刺針の内部通路を通過する際には窄まった状態に弾性変形する弾性ワイヤからなるスネアループとが設けられたものにおいて、
前記操作ロッドの軸方向から見たとき、前記スネアループがハート形に形成されていて、前記ハート形の凹部の突端部分に前記操作ロッドの先端が位置していることを特徴とする生体用縫合装置の縫合糸引出具。
【請求項２】
請求項１に記載された生体用縫合装置の縫合糸引出具において、前記弾性ワイヤの前記ハート形の凹部を形成する部分が、前記操作ロッドの先端から遠ざかるにしたがって前記操作ロッドの軸方向においても前記操作ロッドの先端から遠ざかる立体形状に形成されている生体用縫合装置の縫合糸引出具。
【請求項３】
請求項２に記載された生体用縫合装置の縫合糸引出具において、前記スネアループを前記操作ロッドの軸方向に対して垂直な側方から見たとき、前記弾性ワイヤが略レの字状の形状に形成されている生体用縫合装置の縫合糸引出具。
【請求項４】
請求項３に記載された生体用縫合装置の縫合糸引出具において、前記スネアループの先端部分付近が前記操作ロッドの軸方向に対してほぼ垂直な面に沿う方向に曲げられている生体用縫合装置の縫合糸引出具。
【請求項５】
請求項１から４の何れかに記載された生体用縫合装置の縫合糸引出具において、前記スネアループの先端部分が、前記縫合糸を緩く挟む幅で前記弾性ワイヤを曲げ戻した縫合糸係合部になっている生体用縫合装置の縫合糸引出具。
【請求項６】
請求項５に記載された生体用縫合装置の縫合糸引出具において、前記縫合糸係合部が、前記縫合糸を緩く挟む幅で前記弾性ワイヤをＵ字状に平行に曲げ戻して形成されている生体用縫合装置の縫合糸引出具。
【請求項７】
請求項６に記載された生体用縫合装置の縫合糸引出具において、前記平行部の長さがその平行部の幅の１．５倍ないし５倍の範囲にある生体用縫合装置の縫合糸引出具。
【請求項８】
請求項５に記載された生体用縫合装置の縫合糸引出具において、前記縫合糸係合部が、前記縫合糸を緩く挟む幅の最先端部分から３０°未満の挟角で前記弾性ワイヤをＶ字状に曲げ戻して形成されている生体用縫合装置の縫合糸引出具。
【請求項９】
請求項５から８の何れかに記載された生体用縫合装置の縫合糸引出具において、前記スネアループが前記縫合糸引出用穿刺針内に引き込まれて窄まると、前記縫合糸係合部の幅が前記縫合糸をきつく挟み付ける状態に狭められる生体用縫合装置の縫合糸引出具。
【請求項１０】
請求項９に記載された生体用縫合装置の縫合糸引出具において、前記スネアループが前記縫合糸引出用穿刺針内から引き出されて膨らむと、前記縫合糸係合部の幅が前記縫合糸を緩く挟む幅に戻る生体用縫合装置の縫合糸引出具。
【請求項１１】
請求項１から１０の何れかに記載された生体用縫合装置の縫合糸引出具において、前記弾性ワイヤが金属製の単線ワイヤにより形成されている生体用縫合装置の縫合糸引出具。
【請求項１２】
請求項１から１１の何れかに記載された生体用縫合装置の縫合糸引出具において、前記操作ロッドがパイプ材により形成されていて、前記スネアループを構成する前記弾性ワイヤの延出部分が前記操作ロッド内に挿通固定されている生体用縫合装置の縫合糸引出具。
【請求項１３】
請求項１から１２の何れかに記載された生体用縫合装置の縫合糸引出具において、前記操作ロッドの手元側端部に摘みが取り付けられている生体用縫合装置の縫合糸引出具。
【発明の詳細な説明】
【技術分野】
【０００１】  本発明は、胃瘻を内視鏡的に形成する際にそれに先立って患者の胃壁を腹壁に一時的に固定するために胃壁と腹壁とを縫合する場合等に用いられる生体用縫合装置の縫合糸引出具に関する。
【背景技術】
【０００２】  そのような生体用縫合装置は一般に、縫合糸を体内に送り込むための内部通路が貫通形成された縫合糸挿入用穿刺針と、縫合糸の先端を体内から引き出すための内部通路が貫通形成されて縫合糸挿入用穿刺針と並列に配置される縫合糸引出用穿刺針とを有しており、そのための縫合糸引出具としては、縫合糸引出用穿刺針内に外方から挿脱自在な操作ロッドと、縫合糸の先端付近に係合させて縫合糸を牽引することができるように操作ロッドの先端に取り付けられて縫合糸引出用穿刺針の内部通路を通過する際には窄まった状態に弾性変形する弾性ワイヤからなるスネアループとが設けられている（例えば、特許文献１、２）。
【特許文献１】  特開２０００−２２５２４０号公報
【特許文献２】  特公平６−２４５３３号公報
【発明の開示】
【発明が解決しようとする課題】
【０００３】  上述のような生体用縫合装置を用いる際には、縫合糸挿入用穿刺針から体内に送り込んだ縫合糸を、縫合糸引出用穿刺針から体内に送り込んだスネアループ内に体外からの盲目的な操作で通す操作を必要とする。
しかし、上述のような従来の縫合糸引出具においては、縫合糸の先端付近に係合させるためのスネアループが、操作ロッドの先端側から細長い木の葉の輪郭状又は菱形状等のような形状でに延出する構成になっているため、盲目的な操作では縫合糸をスネアループ内になかなか通すことができず、そのために縫合作業に時間がかかって医師及び患者の双方にとって大きな負担になる場合があった。【０００４】  本発明はそのような問題を解決するためになされたものであり、スネアループを体内で十分に幅広く膨らんだ形状に形成することができて、盲目的な操作でも縫合糸をスネアループ内に容易に通して体外に引き出すことができる生体用縫合装置の縫合糸引出具を提供することを目的とする。
【課題を解決するための手段】
【０００５】  本発明の生体用縫合装置の縫合糸引出具は、縫合糸を体内に送り込むための内部通路が軸方向に貫通して形成された縫合糸挿入用穿刺針と、縫合糸の先端を体内から引き出すための内部通路が軸方向に貫通して形成されて縫合糸挿入用穿刺針と並列に配置される縫合糸引出用穿刺針とを有する生体用縫合装置の縫合糸引出具であって、縫合糸引出用穿刺針内に外方から挿脱自在な操作ロッドと、縫合糸の先端付近に係合させて縫合糸を牽引することができるよう操作ロッドの先端に取り付けられて縫合糸引出用穿刺針の内部通路を通過する際には窄まった状態に弾性変形する弾性ワイヤからなるスネアループとが設けられたものにおいて、操作ロッドの軸方向から見たとき、スネアループがハート形に形成されていて、ハート形の凹部の突端部分に操作ロッドの先端が位置している。【０００６】  なお、弾性ワイヤのハート形の凹部を形成する部分が、操作ロッドの先端から遠ざかるにしたがって操作ロッドの軸方向においても操作ロッドの先端から遠ざかる立体形状に形成されているとよい。そして、スネアループを操作ロッドの軸方向に対して垂直な側方から見たとき、弾性ワイヤが略レの字状の形状に形成されているとよく、スネアループの先端部分付近が操作ロッドの軸方向に対してほぼ垂直な面に沿う方向に曲げられていてもよい。【０００７】  また、スネアループの先端部分が、縫合糸を緩く挟む幅で弾性ワイヤを曲げ戻した縫合糸係合部になっているとよく、縫合糸係合部が、縫合糸を緩く挟む幅で弾性ワイヤをＵ字状に平行に曲げ戻して形成されていてもよい。その場合は、平行部の長さがその平行部の幅の１．５倍ないし５倍の範囲にあるのが望ましい。また、縫合糸係合部が、縫合糸を緩く挟む幅の最先端部分から３０°未満の挟角で弾性ワイヤをＶ字状に曲げ戻して形成されていてもよい。【０００８】  そして、スネアループが縫合糸引出用穿刺針内に引き込まれて窄まると、縫合糸係合部の幅が縫合糸をきつく挟み付ける状態に狭められ、スネアループが縫合糸引出用穿刺針内から引き出されて膨らむと、縫合糸係合部の幅が縫合糸を緩く挟む幅に戻るようにしてもよい。
また、弾性ワイヤが金属製の単線ワイヤにより形成されていてもよく、操作ロッドがパイプ材により形成されていて、スネアループを構成する弾性ワイヤの延出部分が操作ロッド内に挿通固定されていてもよい。また、操作ロッドの手元側端部に摘みが取り付けられていてもよい。
【発明の効果】
【０００９】  本発明の生体用縫合装置の縫合糸引出具によれば、操作ロッドの軸方向から見たとき、スネアループがハート形に形成されてハート形の凹部の突端部分に操作ロッドの先端が位置していることにより、スネアループを体内で幅広く膨らんだ形状に形成することができて、盲目的な操作でも縫合糸をスネアループ内に容易に通して体外に引き出すことができる。
【実施例】
【００１０】  以下、図面を参照して本発明の実施例を具体的に説明する。
図７は、本発明の実施例の生体用縫合装置を示している。１０１は患者の腹壁、１０２は胃壁である。生体用縫合装置には、先端が胃内に達するように体外から穿刺される縫合糸挿入用穿刺針１と縫合糸引出用穿刺針２とが平行に並んだ状態で連結部材３に固定された状態に設けられており、腹壁１０１と胃壁１０２を体外から突き通して、縫合糸挿入用穿刺針１と縫合糸引出用穿刺針２の各先端を並んだ状態で胃内に開口させることができる。【００１１】  縫合糸挿入用穿刺針１には、縫合糸５０を体外から体内に送り込むための内部通路が軸方向に貫通して形成されていて、その手元側端部に入口口金４が取り付けられている。縫合糸引出用穿刺針２には、縫合糸５０の先端を体内から体外に引き出すための内部通路が軸方向に貫通して形成されていて、その手元側端部に入口口金５が取り付けられている。
１０は、縫合糸５０の先端付近に係合させて縫合糸５０を牽引するためのスネアループであり、例えばステンレス鋼線の単線等のような弾性ワイヤにより立体的なハート形に形成されていて、窄まった状態に弾性変形させて縫合糸引出用穿刺針２の内部通路を通過させることができる。スネアループ１０の基端は、縫合糸引出用穿刺針２の内部通路内に外方から挿脱自在な操作ロッド２０の先端に取り付けられている。【００１２】  図１と図２に示されるように、操作ロッド２０の手元側端部には摘み３０が取り付けられている。操作ロッド２０は、例えばステンレス鋼パイプ材により形成されており、スネアループ１０を形成する弾性ワイヤの延出部分が操作ロッド２０内に通されて、その弾性ワイヤの両端は操作ロッド２０の手元側端部に達しており、操作ロッド２０の両端位置で弾性ワイヤと操作ロッド２０とが溶接、ロー接又はカシメ等により固着されている。【００１３】  スネアループ１０は、操作ロッド２０の軸方向から見ると、図３に示されるようにハート形に形成されており、そのハート形の凹部１１の突端部分に操作ロッド２０の先端が位置している。したがって、凹部１１が操作ロッド２０より後方にＡだけ膨らむので、二点鎖線で示される単純なループ形状に比べてハート形の膨らみ部１２がＢだけ大きく膨らんで、ハート形の幅Ｗも容易に大きく形成することができ、前方への長さを大きくすることなく幅広に膨らませることができて、塑性変形であるへたりも発生し難い。【００１４】  弾性ワイヤにより形成されたスネアループ１０のハート形の凹部１１を形成する部分は、図１及び図２に示されるように、操作ロッド２０の先端から遠ざかるにしたがって操作ロッド２０の軸方向においても操作ロッド２０の先端から遠ざかる立体形状に形成されている。また、図４に示されるように、スネアループ１０を操作ロッド２０の軸方向に対して垂直な側方から見ると、弾性ワイヤが略レの字状の形状に形成されていて、膨らみ部１２が側方から見て操作ロッド２０の軸方向に対して鋭角（即ち、θ＜９０°）をなしている。【００１５】  また、同様にしてハート形を操作ロッド２０の軸方向に対して垂直な側方から見た図４に示される向きにおいては、スネアループ１０の先端部分付近１３が操作ロッド２０の軸方向に対してほぼ垂直な面に沿う方向に曲げられ、スネアループ１０の先端部分であるハート形の凸部の突端部分に、縫合糸５０と係合する縫合糸係合部１４が形成されている。
縫合糸係合部１４は、その部分を拡大して図示する図５に示されるように、縫合糸５０を緩く挟む幅ｅで弾性ワイヤをＵ字状に平行に曲げ戻して形成されており、縫合糸５０が意に反して外れないよう、その平行部の長さＺが平行部の幅ｅの少なくとも１．５倍あるように形成されている。ただし、平行部の長さＺが長くなると縫合糸係合部１４が変形し易くなったり縫合糸５０を外す際に外れ難くなる場合があるので、平行部の長さＺは平行部の幅ｅの５倍以内程度に形成するのが望ましい。即ち、１．５ｅ≦Ｚ≦５ｅである。なお、縫合糸係合部１４は、図６に示されるように、縫合糸５０を緩く挟む幅の最先端部分から弾性ワイヤをＶ字状に曲げ戻して形成してもよく、その場合は、縫合糸５０が意に反して外れないよう、３０°未満の挟角（即ち、δ＜３０°）にすることが望ましい。【００１６】  このように構成された生体用縫合装置を用いて縫合を行う場合には、図７に示された準備状態から、図８に示されるように、スネアループ１０を弾性変形させて縫合糸引出用穿刺針２の内部通路内に外方から押し込み、図９及びその部分斜視図である図１０に示されるように、操作ロッド２０の先端を縫合糸引出用穿刺針２の先端から突出させると、スネアループ１０が胃内で自己の弾性により元のハート形の形状に戻る。【００１７】  すると、ハート形に形成されたスネアループ１０は前述のように大きく膨らむので、縫合糸挿入用穿刺針１の先端から縫合糸５０の先端を押し出すだけで、盲目的な操作であっても縫合糸５０をスネアループ１０内に容易に通すことができ、スネアループ１０の膨らみ部１２が側方から見て略レの字状に曲げ戻されていることにより縫合糸挿入用穿刺針１の先端に接近した状態になることにより、縫合糸５０をより容易にスネアループ１０内に通すことができる。【００１８】  そのようにして縫合糸５０の先端がスネアループ１０内に通されたら、図１１に示されるように、操作ロッド２０を縫合糸引出用穿刺針２内から手元側に引き出す操作を行うことによりスネアループ１０が縫合糸引出用穿刺針２内に引き込まれて行き、図１２に示されるように、スネアループ１０が窄まることにより先端の縫合糸係合部１４の幅（ｅ）が狭められて、縫合糸５０の先端付近が、縫合糸係合部１４にきつく挟まった状態に係合してスネアループ１０に把持される。そのようにして縫合糸５０が、縫合糸引出用穿刺針２内で弾性変形して窄まるスネアループ１０により引っ張られて縫合糸引出用穿刺針２内を通過し、図１３に示されるように体外に引き出される。【００１９】  すると、スネアループ１０が再び元のハート形に膨らんだ形状に戻って先端の縫合糸係合部１４の幅（ｅ）が元に戻り、縫合糸５０に対する縫合糸係合部１４の締め付けが緩むので、縫合糸５０を軽く引っ張るだけで縫合糸５０と縫合糸係合部１４との係合が外れて縫合糸５０をスネアループ１０から容易に外すことができる。そして、縫合糸５０をそのままの状態に残して縫合糸挿入用穿刺針１と縫合糸引出用穿刺針２とを体外に引き出し、縫合糸５０を結び合わせることにより腹壁１０１と胃壁１０２を縫合することができる。
【図面の簡単な説明】
【００２０】
【図１】本発明の実施例の生体用縫合装置の縫合糸引出具の斜視図。
【図２】本発明の実施例の生体用縫合装置の縫合糸引出具の斜視図。
【図３】本発明の実施例の生体用縫合装置の縫合糸引出具の平面図。
【図４】本発明の実施例の生体用縫合装置の縫合糸引出具の側面図。
【図５】本発明の実施例の生体用縫合装置の縫合糸引出具の部分拡大平面図。
【図６】本発明の実施例の生体用縫合装置の縫合糸引出具の変形例の部分拡大平面図。
【図７】本発明の実施例の生体用縫合装置の側面断面図。
【図８】本発明の実施例の生体用縫合装置の使用状態を順に示す側面断面図。
【図９】本発明の実施例の生体用縫合装置の使用状態を順に示す側面断面図。
【図１０】本発明の実施例の生体用縫合装置の使用状態を順に示す斜視図。
【図１１】本発明の実施例の生体用縫合装置の使用状態を順に示す側面断面図。
【図１２】本発明の実施例の生体用縫合装置の使用状態を順に示す斜視図。
【図１３】本発明の実施例の生体用縫合装置の使用状態を順に示す側面断面図。
【符号の説明】
【００２１】１…縫合糸挿入用穿刺針
２…縫合糸引出用穿刺針
１０…スネアループ
１１…凹部
１２…膨らみ部
１３…先端部分付近
１４…縫合糸係合部
２０…操作ロッド
３０…摘み
５０…縫合糸
【図１】
0004415103.tif 000002
【図２】
0004415103.tif 000003
【図３】
0004415103.tif 000004
【図４】
0004415103.tif 000005
【図５】
0004415103.tif 000006
【図６】
0004415103.tif 000007
【図７】
0004415103.tif 000008
【図８】
0004415103.tif 000009
【図９】
0004415103.tif 000010
【図１０】
0004415103.tif 000011
【図１１】
0004415103.tif 000012
【図１２】
0004415103.tif 000013
【図１３】
0004415103.tif 000014